(57)【要約】【課題】本発明は、自動分析装置から操作者に対し許可されたレベルが違っても、それぞれのレベルで使用が可能な画面構成を有するユーザーインターフェースを備える。【解決手段】自動分析装置に対する操作機能の使用が許可されると、グループ化された複数の操作機能の夫々に対応して設けられている全ての選択ボタンが、ＣＲＴディスプレイ１００の画面内の所定領域に出現する。この場合、特定の操作者に対して許可された機能に対応するボタンはアクセス可能を示す色で表示され、許可されない機能に対応するボタンはアクセス不能を示す色で表示される。アクセス可能なボタンが選択されることにより、下位の操作画面が階層化状態で表示される。【選択図】図４
2006276040.tif 000002
【特許請求の範囲】
【請求項１】
複数にグループ化された操作機能におけるそれぞれのグループに対応する操作機能選択ボタンが表示される領域を有する画面を出現させる表示装置と、
入力されたパスワードに対応するレベルを判定し、判定したレベルに応じて特定グループの操作機能にアクセスすることを許可し、
レベルの判定に基づいて許可されたグループに対応する操作機能選択ボタンをアクセス可能であるように制御すると共に、許可されないグループに対応する操作機能選択ボタンをアクセス不能に制御する制御部と、
上記許可されたグループに対応する操作機能選択ボタンが選ばれたとき、選ばれた操作機能選択ボタンに関連する操作機能画面が複数存在するならば、その複数の操作機能画面は階層化状態で表示されるとともに、
上記階層化状態においては、上記複数の操作機能画面の内、最もレベルの低い操作機能に相当する画面が最上層に表示されることを特徴とする自動分析装置。
【請求項２】
請求項１記載の自動分析装置において、
上記許可されたグループに対応する操作機能選択ボタンと、上記許可されないグループに対応する操作機能選択ボタンとは、互に表示色が異なるように表示されることを特徴とする自動分析装置。
【請求項３】
請求項１記載の自動分析装置において、
前記表示装置の同一画面上に、選択された操作機能選択ボタンに対応する操作機能画面が表示される領域を表示することを特徴とする自動分析装置。
【発明の詳細な説明】
【技術分野】
【０００１】
本発明は、サンプルの検査項目を分析する自動分析装置に係り、操作者のパスワードに応じて自動分析装置に対しアクセス可能な操作機能を制限することができる自動分析装置に関する。
【背景技術】
【０００２】
自動分析装置は、患者由来血液（血清，血漿）又は尿などの生体サンプル液中に含まれる成分（検査項目）を試薬と反応させて自動的に濃度を測定する。従来の自動分析装置のユーザーインターフェースに表示される操作画面は、操作者の相違や、夜間の緊急検査や昼間の日常業務のような業務の相違にも拘らず、一様な画面が表示されるようになっている。従って、夜間の緊急検査のように、看護婦や医師のようなあまり自動分析装置の操作に精通していない者が操作する場合には、操作が容易でない。また、自動分析装置の操作に精通していない操作者によって誤操作が行われる可能性があった。
【０００３】
このような問題に対拠するため、特開平1−250758 号公報は、操作者のレベルを判断して、その操作者のレベルに対応した特定の範囲の機能だけを使用許可することを提案している。すなわち、この特開平1−250758 号公報では、自動分析装置の操作機能を、分析パラメータ，システムパラメータ，登録及びメンテナンスに分けると共に、操作者毎のＩＤコードに対応してレベルを設定しておく。操作者がＩＤコードを入力すれば、そのレベルに該当する操作機能だけが画面表示される。操作者は、上級，中級および下級の３段階に設定されており、上級者にはすべての操作が許可され、中級者には一部の操作のみが許可され、下級者には分析パラメータ及びメンテナンスの内の一部の機能だけが許可される。
【０００４】
【特許文献１】特開平１−２５０７５８号公報
【発明の開示】
【発明が解決しようとする課題】
【０００５】
上述した特開平1−250758 号公報は、操作者のＩＤコードの入力に基づいてその操作者のレベルに対応した機能のみを画面表示するということを教示している。しかしながら、この先行技術には、操作者にとって便利なユーザーインターフェースの構成が教示されていない。
【０００６】
本発明の目的は、自動分析装置における操作機能の全体の概要を見渡すことができ、操作者に対して許可された複数の操作機能の画面を容易に選択することができる自動分析装置を提供することにある。
【０００７】
本発明の他の目的は、パスワードを入力した操作者に対してより高度な操作機能へのアクセスを可能にすると共に、パスワードを入力しない操作者に対して検体検査にとって最低限の操作機能へのアクセスを可能にする自動分析装置を提供することにある。
【課題を解決するための手段】
【０００８】
本発明は、サンプルを自動的に分析して検査項目の濃度を求める自動分析装置に適用される。この自動分析装置は、操作機能を複数にグループ化した情報を記憶するメモリと、入力されたパスワードに対応するレベルを判定し、該判定したレベルに応じて特定グループの操作機能にアクセスすることを許可する制御部とを備えている。
【０００９】
本発明の自動分析装置は、複数にグループ化された操作機能におけるそれぞれのグループに対応する操作機能選択ボタンが表示される領域と、選択された操作機能選択ボタンに対応する操作機能画面が表示される領域とを有する画面を出現させる表示装置を具備しており、制御部は、レベルの判定に基づいて許可されたグループに対応する操作機能選択ボタンをアクセス可能であるように制御すると共に、許可されないグループに対応する操作機能選択ボタンをアクセス不能に制御する。
【００１０】
本発明に基づく望ましい実施形態では、レベルの判定に基づいて許可されたグループに対応する操作機能選択ボタンと、許可されないグループに対応する操作機能選択ボタンとは、互に表示色が異なるように表示される。許可されたグループに対応する操作機能選択ボタンが選ばれたとき、選ばれた操作機能選択ボタンに関連する操作機能画面が複数存在するならば、その複数の操作機能画面は階層化状態で表示される。この場合の階層化状態においては、複数の操作機能画面の内、最もレベルの低い操作機能に相当する画面が表面に表示される。また、分析装置への電源投入後にパスワードが入力されないとき、制御部は、緊急検体の検査にとって必要な操作機能選択ボタンだけをアクセス可能であるように制御する。
【発明の効果】
【００１１】
本発明によれば、自動分析装置における全体操作者から操作可能性のある機能の全体を見渡すことができ、現在の操作者に対して許可された複数の操作機能の画面をそれぞれのレベルの操作者が容易に選択することができる。また、パスワードを入力した操作者に対してより高度な操作機能へのアクセスを可能にすると共に、パスワードを入力しない操作者に対して検体検査にとって最低限の操作機能へのアクセスを可能にする。
【発明を実施するための最良の形態】
【００１２】
以下、図１〜図６を参照して、本発明の一実施形態としての自動分析装置について説明する。この望ましい実施形態では、表示された操作機能画面を通して入力された内容に従って自動分析装置はサンプルの分析操作を実行し、各検査項目の分析結果を表示装置に表示し得る。この自動分析装置は、夜間に緊急検査が必要なときに医師や看護婦のような分析装置の操作に不慣れな初心者が誤操作を生じることなく操作することができ、一方、検査室の管理責任者のような分析装置の操作に精通した操作者にとっても扱い易いユーザーインターフェースを備える。
【００１３】
図１は、自動分析装置の全体構成を示している。間欠回転可能に設けられた反応ディスク１０には、透光性材料からなる多数の反応容器１２が円周に沿って装着されている。反応容器１２は、恒温槽１４によって所定の温度（例えば３７℃）に維持される。恒温槽
１４内の流体は、恒温維持装置１６により温度調整される。
【００１４】
サンプルディスク２０上には、血液又は尿のような生体サンプルを収容した多数のサンプルカップ２２が載置される。可動アーム２４に取り付けられたピペットノズル２６は、サンプルディスク２０の吸入位置に位置づけられたサンプルカップ２２から所定量のサンプルを吸入し、そのサンプルを反応ディスク１０上の吐出位置にある反応容器１２内に吐出する。
【００１５】
試薬保冷庫３０Ａ，３０Ｂ内にそれぞれ配置されている試薬ディスク上には、バーコードの如き試薬識別情報を表示したラベルが貼られた複数の試薬ボトル３２Ａ，３２Ｂが載置される。これらの試薬ボトルには、分析装置によって分析され得る分析項目に対応する試薬液が収容されている。各試薬保冷庫３０Ａ，３０Ｂに付属されたバーコード読み取り装置は、試薬登録時に、各試薬ボトルの外壁に表示されているバーコードを読み取る。読み取られた試薬情報は、試薬ディスク上のポジションと共に後述するメモリ５６に登録される。
【００１６】
各試薬分注機構３６Ａ，３６Ｂにおける試薬用ピペットノズルは、反応ディスク１０上の試薬受け入れ位置に位置付けられる検査項目に応じた試薬ボトルから試薬液を吸入し、該当する反応容器１２内へ吐出する。反応容器１２内に収容されたサンプルと試薬の混合物は、撹拌機構３８Ａ，３８Ｂにより撹拌される。
【００１７】
反応容器１２の列は、白色光源４０と多波長光度計４２とによって挟まれた測光位置を通るように回転移動される。各反応容器１２内におけるサンプルと試薬との反応液は、反応ディスク１０の回転動作中に測光される。各サンプル毎に測定されたアナログ信号は、Ａ／Ｄ変換器４４に入力される。反応ディスク１０の近傍に配置されている反応容器洗浄機構１８は、使用済みの反応容器１２の内部を洗浄することにより、反応容器の繰り返しの使用を可能にする。
【００１８】
次に、図１の分析装置における制御系及び信号処理系について簡単に説明する。コンピュータ５０は、インターフェース５２を介して、サンプル分注制御部２８，試薬分注制御部３９，Ａ／Ｄ変換器４４に接続されている。コンピュータ５０は、サンプル分注制御部２８に対して指令を送り、サンプルの分注動作を制御する。また、コンピュータ５０は、試薬分注制御部３９に対して指令を送り、試薬の分注動作を制御する。Ａ／Ｄ変換器４４によってディジタル信号に変換された測光値は、コンピュータ５０に取り込まれる。
【００１９】
インターフェース５２には、印字するためのプリンタ５４，記憶装置であるメモリ５６やフロッピー（登録商標）ディスクドライブ５８や、操作指令等を入力するためのキーボード６０，画面表示するためのＣＲＴディスプレイ１００が接続されている。画面表示装置としては、ＣＲＴディスプレイの他に液晶ディスプレイなどを採用できる。メモリ５６は、例えばハードディスクメモリ又は外部メモリにより構成される。メモリ５６には、各操作者ごとのパスワード，各画面ごとの表示レベル，分析パラメータ，分析項目依頼内容，キャリブレーション結果，分析結果等の情報が記憶される。
【００２０】
次に、図１の自動分析装置におけるサンプルの分析動作を説明する。自動分析装置によって分析可能な項目に関する分析パラメータは、予めキーボード６０の如き情報入力装置を介して入力されておリ、メモリ５６に記憶されている。操作者は、後述する操作機能画面を用いて各サンプル毎に依頼されている検査項目を選択する。この際に、患者ＩＤなどの情報もキーボード６０から入力される。各サンプルに対して指示された検査項目を分析するために、ピペットノズル２６は、分析パラメータにしたがって、サンプルカップ２２から反応容器１２へ所定量のサンプルを分注する。サンプルを受け入れた反応容器は、反応ディスク１０の回転によって移送され、試薬受け入れ位置に停止する。試薬分注機構
３６Ａ，３６Ｂのピペットノズルは、該当する検査項目の分析パラメータにしたがって、反応容器１２に所定量の試薬液を分注する。サンプルと試薬の分注順序は、この例とは逆に、サンプルより試薬が先であってもよい。
【００２１】
その後、撹拌機構３８Ａ，３８Ｂにより、サンプルと試薬との撹拌が行われ、混合される。この反応容器１２が、測光位置を横切る時、多波長光度計４２により反応液の吸光度が測光される。測光された吸光度は、Ａ／Ｄ変換器４４，インターフェース５２を経由して、コンピュータ５０に取り込まれる。この吸光度は、あらかじめ、検査項目毎に指定された分析法により予め測定しておいた検量線に基づき、濃度データに変換される。各検査項目の分析結果としての成分濃度データは、プリンタ５４やＣＲＴ１００の画面に出力される。
【００２２】
以上の測定動作が実行される前に、操作者は、分析測定に必要な種々のパラメータの設定や試料の登録を操作画面を介して行う。また、操作者は、測定後の分析結果をＣＲＴ
１００上の操作画面により確認する。
【００２３】
次に、図２を用いて、本実施形態による自動分析装置のＣＲＴに表示し得る操作画面の例と各レベルの関係について説明する。図２は、ＣＲＴディスプレイ１００に表示可能な操作画面の種類と操作者に対し許可されるレベルの関係を示している。自動分析装置に関する操作機能は、図２のＡ〜Ｅの如く複数にグループ化されており、これらの操作機能画面の情報はメモリ５６に記憶されている。各操作機能画面の表示の可否は、コンピュータ５０により制御される。
【００２４】
図２に示すように、自動分析装置に対する全体の操作機能に対応する画面の種類は、ルーチン画面Ａと、試薬管理画面Ｂと、精度管理画面Ｃと、キャリブレーション画面Ｄと、ユーティリティ画面Ｅとの各グループに分類されている。各グループの操作機能は、１つ以上の操作機能画面を介して指示を受け、制御部としてのコンピュータ５０の制御のもとで実行される。
【００２５】
図２におけるルーチン画面Ａは、患者検体依頼画面Ａ１と、患者検体測定結果画面Ａ２と、初期設定画面Ａ３とから構成されている。また、ユーティリティ画面Ｅは、保守点検画面Ｅ１と、分析パラメータ設定画面Ｅ２と、システムパラメータ設定画面Ｅ３とから構成されている。
【００２６】
ここで、各画面の内容について説明する。
【００２７】
ルーチン画面Ａの中の患者検体依頼画面Ａ１は、各患者に由来する検体毎の検査項目を選択して登録する画面である。患者検体測定結果画面Ａ２は、操作者による確認のために各患者毎の測定データを表示する画面である。初期設定画面Ａ３は、分析開始時の分析装置に対する条件設定と準備動作の指示のために用いる画面である。
【００２８】
試薬管理画面Ｂは、各試薬ボトル内の試薬の残量の確認、及び試薬の新規登録に用いる画面である。精度管理画面Ｃは、測定データの異常の有無又は試薬の劣化状態などを監視する条件を設定でき、監視結果を表示するための画面である。キャリブレーション画面Ｄは、標準試料又はキャリブレータと試薬を反応させることによって校正を実施させるための設定画面である。
【００２９】
ユーティリティ画面Ｅの中の保守点検画面Ｅ１は、装置のメンテナンスを実行させるための条件を設定する際に、及び定期的なメンテナンス動作の結果の記憶データを表示させる際に用いる画面である。分析パラメータ設定画面Ｅ２は、分析可能な各項目に関し記憶しておくべき分析条件としてのパラメータを設定するための画面である。システムパラメータ設定画面Ｅ３は、検体の種別，システムインターフェースの接続情報，操作者毎のパスワード等を設定する画面である。
【００３０】
自動分析装置の操作者には、医師や看護婦等のように装置の取扱いに不慣れな初心者から検査室の管理責任者等のように装置の取扱いを熟知した者まで種々のレベルの者が存在する。そこで、本実施形態においては、これらの操作者がアクセスできる操作機能を、レベル１〜レベル４の４段階にレベル分けしている。これらの内、例えば、レベル１は、夜間の緊急検査において、医師や看護婦等の普段自動分析装置を操作することのない初心者が自動分析装置を使用するときに必要とされる操作機能だけを含む。レベル２は、昼間の病院等において、検査技師が分析装置を操作する場合や、検査室の管理者がデータのチェックのために分析装置を使用する場合に必要とされる操作機能を含む。レベル３は、レベル１及びレベル２の機能に加えて、熟練した検査技師が試薬等に係る分析パラメータを変更する場合に必要とされる機能をも含む。さらに、レベル４は、レベル１〜３の機能に加えて、サービス・エンジニア又は検査室の管理責任者が分析装置を使用する場合に必要とされる機能をも含む。いいかえれば、レベル４では、分析装置のすべての操作機能にアクセスできる。
【００３１】
次に、表示可能な操作画面と各レベルとの関係について説明する。
【００３２】
例えば、医師や看護婦は普段自動分析装置を使う機会が少ないため、緊急検査時に分析装置が不必要な画面を表示すると、緊急検体の検査をスムーズに行うことができなくなり、また、操作を誤る恐れも発生する。一方、検査室の管理責任者は、システムパラメータの設定等を行う必要があるが、システムパラメータは、管理責任者以外の者が容易に設定変更されては困る事項である。
【００３３】
このような実状を踏まえて、レベル４を除く各レベル毎に、アクセス可能な画面を制限するようにしている。
【００３４】
図２に示すように、レベル１の操作機能だけを必要とする操作者に対しては、分析装置の制御部は、表示装置としてのＣＲＴディスプレイ１００に、ルーチン画面Ａのグループの操作機能画面のみ、すなわち、患者検体依頼画面Ａ１と、患者検体測定結果画面Ａ２と、初期設定画面Ａ３を表示させる。これにより、操作者は、これらの操作機能画面を用いることにより、サンプルの分析にとって最低限必要な入力設定を行うことが可能である。例えば、緊急検査が必要なときに、医師又は看護婦は、レベル１の機能によって緊急検体の検査依頼を自動分析装置に対して行うことができ、その検体に関する測定結果を得ることができる。この場合、レベル２〜４の機能の使用は、制御部によって許可されない。
【００３５】
レベル２では、制御部は、ルーチン画面Ａの各画面Ａ１，Ａ２，Ａ３に加えて、試薬管理画面Ｂと、精度管理画面Ｃと、キャリブレーション画面Ｄと、ユーティリティ画面Ｅの内の保守点検画面Ｅ１をＣＲＴディスプレイのスクリーンに開くことを許可し、操作者がこれらの操作機能画面にアクセスできるように制御する。但し、後述するように、レベル２の場合に、保守点検画面Ｅ１に関しては、包含されている全ての操作機能が開放されるのではなく、一部の操能の使用が制限される。
【００３６】
レベル３では、制御部は、ルーチン画面Ａに関係する全操作機能画面と、Ｂ，Ｃ，Ｄの各画面に加えて、ユーティリティ画面Ｅの内の保守点検画面Ｅ１及び分析パラメータ設定画面Ｅ２を、ＣＲＴディスプレイのスクリーンに開くことを許可し、操作者がこれらの操作機能画面にアクセスすることを可能にしている。すなわち、レベル３では、図２におけるシステムパラメータ設定画面Ｅ３を除く全操作機能画面に対しアクセスすることができる。
【００３７】
レベル４では、制御部は、レベル１〜３に対して許可される全ての操作機能画面に加えて、システムパラメータ設定画面Ｅ３をＣＲＴディスプレイのスクリーンに開くことを許可し、操作者が図２の全部の操作機能画面にアクセスすることを可能にしている。例えば、検査室の管理責任者は、システムパラメータ設定画面Ｅ３にアクセスすることが制御部により許可されるが、他の者にはレベル１〜３が割り当てられるため、他の者はシステムパラメータを変更できない。
【００３８】
次に、図３を用いて、本実施形態による自動分析装置における操作機能画面を表示する際の処理の流れについて説明する。
【００３９】
ステップ３００において、自動分析装置の電源がオンされると、画面表示処理が始まる。そして、ステップ３１０において、図１に示した制御部としてのコンピュータ５０は、オペレータ名とパスワードの入力画面を、ＣＲＴ１００に表示する。オペレータ名とパスワードは、システムパラメータ設定画面Ｅ３を用いて予めメモリ５６内に登録されている。
【００４０】
ステップ３２０において、コンピュータ５０は、操作者名とパスワードが入力されたか否かを判定し、それらが入力されるとステップ３３０に進み、入力されない場合にはステップ３４０に進む。ここで、操作者名とパスワードが入力されない場合とは、例えば緊急検体の検査を必要とする場合である。緊急検査の際には、その緊急性から操作者名およびパスワードの入力がなくても、自動分析装置は最低限の操作機能（緊急検体の検査依頼とその測定結果の表示）を行い得るように動作制御される。このような操作機能は、図２におけるレベル１に該当する。操作者名およびパスワードの入力の有無の判断は、所定時間内にパスワード等が入力されない態様、あるいはパスワードなしでレベル１にアクセスするための指示ボタンを設ける態様に基づいてなされる。
【００４１】
ステップ３２０においてパスワード等が入力されないとき、制御部は、後述する図４のような操作機能選択用画面をＣＲＴディスプレイに表示させ、レベル１に対応する操作機能の画面表示を指示するための操作機能選択ボタン１１０のみにアクセスすることが可能であるように制御する。これにより、緊急検体の検査にとって必要な分析動作が自動分析装置によって実行される。
【００４２】
操作者名とパスワードが入力されると、ステップ３３０において、コンピュータ５０は、メモリ５６に登録済みの操作者名及びパスワードとの一致を確認した上で、その操作者に対して許可されるべきレベルを判定する。
【００４３】
ステップ３４０において制御部は、判定されたレベルに応じて特定グループの操作機能にアクセスすることを許可する。すなわち、コンピュータ５０は、操作機能選択用画面をＣＲＴディスプレイに表示させ、Ａ〜Ｅの各操作機能グループにそれぞれ対応して設けられている選択ボタンに対しアクセス可否の制御をすることにより、レベルに応じた操作機能画面を開くことができるように画面表示を制御する。このような画面表示の具体的内容については、図４〜図６を用いて後述する。
【００４４】
次に、ステップ３５０において、コンピュータ５０は、表示画面上からの入力又はキーボード６０からの入力を受付け、その入力に応じた処理を実行する。その後、ステップ
３１０に戻って、パスワード等の入力画面を表示して、次の入力まで待機する。
【００４５】
次に、図４を参照して、図１の自動分析装置において、レベル１の操作機能の使用のみが許可された操作者が利用できる操作画面の表示例について説明する。
【００４６】
処理がステップ３４０まで進んだとき、ＣＲＴディスプレイ１００のスクリーンには、図４の画面の内の複数の操作機能選択ボタン１１０，１２０，１３０，１４０及び１５０が表示されるが、個別の操作機能画面Ａ１，Ａ２，Ａ３は、まだ表示されない。操作者によるパスワードが入力された場合も、入力されない場合もこれらの操作機能選択ボタンは表示されるけれども、その操作者がアクセスし得る選択ボタンはレベルの違いによって異なる。レベル１の場合は、アクセスすることを許可されない操作機能グループとしてＢ〜Ｅが存在するが、これらのグループに対応する選択ボタン１２０，１３０,１４０,１５０に対してはアクセスできないように制御部によって制御される。
【００４７】
図４の画面では、複数の操作機能グループにそれぞれ対応する選択ボタンを表示する領域が画面内の上方側に形成されており、その後選択された選択ボタンに対応する操作機能画面を表示する領域が画面内の下方側に形成されることになる。
【００４８】
５個の操作機能選択ボタンの内、ボタン１１０は、ルーチン画面Ａを表示するように指示するためのボタンであり、このボタン１１０をキーボード６０やマウス等を用いて選択することにより、ルーチン画面Ａの下位の操作機能画面である患者検体依頼画面Ａ１と、患者検体測定結果画面Ａ２と、初期設定画面Ａ３とが表示可能となる。操作機能グループＡに関連する下位の複数の操作機能画面Ａ１，Ａ２，Ａ３は、階層化された状態で表示される。一番上の表層には、操作者にとって必要性が最も高い患者検体依頼画面Ａ１が出現する。二番目の層には、次に必要性が高い患者検体測定結果画面Ａ２がタグ１１４のみが見えるように隠れた状態で表示される。最下層には、初期設定画面Ａ３がタグ１１６のみを見せて隠れた状態で表示される。
【００４９】
これらの下位の画面は、帳票形式で選択できるようになっており、個別の操作機能画面の指示ボタンとしてのタグ１１２，１１４、又は１１６の内のいずれかを選択することにより、画面Ａ１，Ａ２又はＡ３の中から選択に対応する画面が最上層に出現する。図４に図示の状態では、タグ１１２が選択されており、患者検体依頼画面Ａ１が表示されている。患者検体依頼画面Ａ１には、検体番号を入力する欄１１２Ａや、複数の検査項目選択用ボタン１１２Ｂが表示される。検査項目の数が多い場合には、それらの検査項目の一覧を複数枚の帳票形式とすることもできる。
【００５０】
従って、緊急検体の検査時には、検体番号を入力欄１１２Ａ内に入力し、検査項目を一連の選択ボタン１１２Ｂの中から検体毎に順次選択するだけで、初心者であっても、容易に検体の検査依頼の操作を行うことができる。
【００５１】
図４におけるボタン１２０は、試薬管理画面Ｂの操作機能グループを選択するものであり、ボタン１３０は、精度管理画面Ｃのグループを選択するものであり、ボタン１４０は、キャリブレーション画面Ｄのグループを選択するものであり、ボタン１５０は、ユーティリティ画面Ｅのグループを選択するものである。ところで、レベル１のみが許可された操作者に対しては、選択ボタン１１０以外の選択ボタン１２０，１３０，１４０，１５０にアクセスできないように制限される。レベルに応じてアクセスすることが許可されたグループに対応する操作機能選択ボタンと、アクセスすることを許可されないグループに対応する操作機能選択ボタンとは、互に表示色が異なるように表示される。レベル１の場合、具体的には、破線で表示されているボタン１２０〜１５０は、例えば、グレイ表示とし、アクセス可能なボタン１１０をハイライト表示として、アクセス可能な画面とアクセス不可能な画面とを視覚的に区別して表示してある。例えば、レベル１のみを許可された操作者が、ボタン１２０を選択しようとしても、ボタン１２０に対応する試薬管理画面Ｂは表示されない。
【００５２】
レベル１に該当する緊急検体の分析に際しては、初心者である看護婦や医師は、患者検体依頼画面Ａ１を用いて、検体番号を入力し、検査項目を選択する。さらに、検体セット位置（サンプルディスクの番号や、位置）を入力する。分析動作が実行され、検査が終了すると、患者検体測定結果画面Ａ２を用いて、検体番号を確認した上で、患者データの確認をすることができる。即ち、患者検体依頼画面Ａ１及び患者検体測定結果画面Ａ２の操作のみで緊急検体の分析が行えるため、自動分析装置の操作に不慣れなものでも、簡単に操作することができる。また、不要な画面にアクセスできないため、誤操作をすることもなく、得られた測定データの信頼性も向上する。
【００５３】
次に、図５を参照して、図１の自動分析装置においてレベル２の操作機能の使用が許可された操作者が利用できる操作画面の表示例を説明する。
【００５４】
図３のステップ３３０における判定がレベル２である場合には、操作者は、操作機能グループＡの下位の操作機能画面Ａ１，Ａ２，３Ａに加えて、試薬管理画面Ｂと、精度管理画面Ｃと、キャリブレーション画面Ｄに対してアクセスすることが制御部により許可される。さらに、レベル２では、操作者は、ユーティリティ画面Ｅの内の下位画面である保守点検画面Ｅ１に対し部分的にアクセスすることが許可される。しかしながら、分析パラメータ設定画面Ｅ２及びシステムパラメータ設定画面Ｅ３に対しアクセスすることは許可されない。従って、図３のステップ３４０のときには、ＣＲＴディスプレイ１００により画面内の上方の領域に表示される複数の操作機能選択ボタン１１０，１２０,１３０,１４０，１５０は、図５において実線で示すように、アクセス可能であることを意味するハイライト表示となる。
【００５５】
図３のステップ３５０においてユーティリティ画面Ｅのグループに対応する操作機能選択ボタン１５０を選択することにより、このボタン１５０に関連する複数の下位の操作機能画面が階層化状態で表示される。しかしながら、レベル２の場合には、ユーティリティ画面の内の保守点検画面Ｅ１に対してのみアクセスすることが許可されるため、分析パラメータ設定画面Ｅ２及びシステムパラメータ設定画面Ｅ３はタグ１５４，１５６の部分を除いては保守点検画面によって隠される。レベル２では、アクセス可能な保守点検画面
Ｅ１のタグ１５２は、図５において実線で示すように、ハイライト表示されるが、アクセスすることが許可されない分析パラメータ設定画面Ｅ２のタグ１５４及びシステムパラメータ設定画面Ｅ３のタグ１５６は、図５において破線で示すように、グレイ表示される。
【００５６】
ユーティリティ画面Ｅは、複数の下位の操作機能画面を有するが、それらの下位画面の階層化順番は、上層から下層に向かって順にレベルの高い機能とされている。すなわち、最上層の保守点検画面Ｅ１には、レベル２が許可された操作者がアクセスできるようになっており、レベル３が許可されるべき操作者に対しては二番目の層の分析パラメータ設定画面Ｅ２にアクセスすることが許可され、レベル４が許可されるべき操作者に対しては、最下層のシステムパラメータ設定画面Ｅ３にアクセスすることが許可される。上級レベルの操作機能を許された操作者は、タグ１５４又は１５６を選択することにより対応する下位の操作機能画面を最上層に開くことができる。
【００５７】
このように、レベル２に判定された操作者は、分析パラメータ設定画面Ｅ２とシステムパラメータ設定画面Ｅ３に対しては、アクセス不可能であるため、これらの設定を誤って変更することがなくなる。
【００５８】
次に、図６を参照して、レベル２が許可された操作者が操作機能画面を利用する場合の制限例について説明する。
【００５９】
ユーティリティ画面のグループの内の保守点検画面Ｅ１は、レベル２〜レベル４のそれぞれの操作者がアクセス可能であるが、この保守点検画面の中でも、操作者のレベルに応じてアクセス可能なものと不可能なものに分けるようにしている。即ち、例えば、保守点検画面のさらなる下位の機能の１つとして含まれている日差精度管理の操作機能の内、管理データは、レベル２，レベル３及びレベル４に許可された操作者のいずれも確認することができるが、管理データの消去や管理データの累積は、レベル２の操作者ではアクセスできず、レベル３及びレベル４の操作者がアクセスできるようにしている。このようにすることによって、レベル２の操作者が誤って、管理データを消去してしまうことを防止できるようにしている。
【００６０】
一方、レベル３が許可される操作者は、試薬の管理や、キャリブレーションの管理等も行うことができる。分析パラメータ等の設定は、試薬量，波長，測光ポイントの指定，アラーム発生レベルの指定，キャリブレーション結果の判定などの専門的な知識を有するものであるため、それらの知識のないもののアクセスによる測定データの信頼性の低下が生じることがない。
【００６１】
なお、操作者がアクセス可能なレベル設定は、検査室の管理責任者が、システムパラメータ設定画面を用いて行うことができる。各操作者に割り当てられるパスワードも、システムパラメータ設定画面Ｅ３を用いて登録することができ、パスワードは、レベル２〜４に該当する者のみが保持するようにして、第３者の不正使用を防止する。パスワードの変更も、システムパラメータ設定画面Ｅ３を用いて行うことができる。
【００６２】
以上説明したように、本実施形態によれば、予め操作者のレベルを設定し、各レベルに応じてアクセス可能な画面を制限することにより、初心者等の操作が容易となり、また、誤操作もなくなる。このように、自動分析装置において、各操作者が全体機能の内のどの操作機能にアクセスできるかを明確にし、操作者によって選択された操作機能グループに属する複数の下位画面を階層化したという画面構成を有するユーザーインターフェースを備えることにより、操作性が向上するとともに、信頼性が向上する。
【図面の簡単な説明】
【００６３】
【図１】本発明の一実施形態としての自動分析装置の全体構成を示す概略図である。
【図２】図１の分析装置におけるＣＲＴディスプレイに表示し得る操作画面の種類と、操作者に対し許可され得るレベルの関係を示す図である。
【図３】図１の分析装置における操作画面を表示するためのステップを示すフローチャートである。
【図４】図１の分析装置においてレベル１の操作機能だけが許可された場合の操作機能画面の表示例である。
【図５】図１の分析装置においてレベル２の操作機能が許可された場合の画面の説明図である。
【図６】図１の分析装置におけるレベル２の操作機能画面での機能制限例を示す説明図である。
【符号の説明】
【００６４】
１０…反応ディスク、１２…反応容器、２０…サンプルディスク、３０Ａ，３０Ｂ…試薬保冷庫、４２…多波長光度計、５０…コンピュータ、５４…プリンタ、５６…メモリ、６０…キーボード、１００…ＣＲＴディスプレイ、１１０，１２０，１３０，１４０，
１５０…機能選択ボタン、１１２，１１４，１１６…タグ。
【図１】
2006276040.tif 000003
【図２】
2006276040.tif 000004
【図３】
2006276040.tif 000005
【図４】
2006276040.tif 000006
【図５】
2006276040.tif 000007
【図６】
2006276040.tif 000008